(57)【特許請求の範囲】
【請求項１】
法面に用いられる積みブロックにおいて、上下に重ね合せるコンクリート製ブロック単体を横方向に並設し、隣合う前記ブロック単体間に前後に連通する隙間を設けると共に、それらブロック単体を連結材により連結し、前記ブロック単体間の前記隙間には前記連結材が露出し、前記ブロック単体の左右の側面間は後方に向って幅狭になるように形成され、前記ブロック単体の上下には相互に重ね合わせ可能でほぼ水平な上，下重ね合わせ面が設けられていることを特徴とする積みブロック。
【請求項２】
前記ブロック単体を１本の前記連結材により連結し、前記連結材に固定したアンカーを前記ブロック単体の左右方向中央に埋設したことを特徴とする請求項１記載の積みブロック。
【請求項３】
前記連結材の端部は、端部の前記ブロック単体の側面に突出していることを特徴とする請求項１又は２記載の積みブロック。
【請求項４】
前記ブロック単体の左右側部にほぼ上下方向の溝を形成し、前記隙間に設ける吸出防止部材の両側に前記溝に挿入する挿入縁を形成したことを特徴とする請求項１〜３のいずれか１項に記載の積みブロック。
【請求項５】
上下に重ね合せるコンクリート製ブロック単体を横方向に並設し、隣合う前記ブロック単体間の隙間に吸出防止部材を設ける積みブロック用吸出防止構造において、前記ブロック単体の左右側部に形成されたほぼ上下方向の溝と、前記吸出防止部材の左右方向両側に設けられ前記溝にスライド挿入する挿入縁とを備えることを特徴とする積みブロック用吸出防止構造。
【発明の詳細な説明】
【０００１】
【発明の属する技術分野】
本発明は、法面などに用いられる積みブロックと積みブロック用吸出防止構造に関する。
【０００２】
【発明が解決しようとする課題】
従来、法面保護用の擁壁、保護壁をコンクリート製の積みブロックにより構築することが行われており、例えば、実開昭６０−８７２４２号公報の積みブロックには、ほぼ矩形状のコンクリート単位体からなり、このブロック単位体の四辺部を他のブロック単位体の辺部に係合させることにより、法面を複数のブロック単位体により埋めるものである。一方、法面を保護するものとして、特開平７−８２７２１号公報には、コンクリート塊を縦横にそれぞれ間隔を置いて連接してなるマトリックスブロックにおいて、コンクリート塊どうしを変位可能に接続してなるものがある。
【０００３】
上記積みブロックでは、法面全体を隙間なく覆うものであるため、通水性や通気性が悪いなど、生態系にとって良好なものでなかった。一方、上記マトリックスブロックでは、コンクリート塊どうしの間に隙間を設けることができるが、積みブロックとは異なり、背面土圧の発生する法面には施工することができない。また、上記積みブロックは、１つ１つのブロック単位体をそれぞれ位置合わせしながら重ね合わせていくため、据付作業の短縮化が困難であり、施工に時間を要した。
【０００４】
ところで、上記マトリックスブロックのように、コンクリート塊どうしの間に隙間を設けるものでは、ブロック背面側からの土砂の吸出を防止する必要がある。そして、例えば、特開平５−１５６６２０号公報には、ブロックに、可撓製目地材を配置して土砂吸出を防止し、前記目地材は、コンクリートを型枠内に注入固化することにより、目地材の基端をブロック内に埋込んで（第００１７）取付けること、壁面にボルト止め（第００２１段）することが記載されている。しかし、前記目地材は、目地を塞ぐものであって、目地において通気性や通水性を確保するものとは異なり、また、ボルトを用いて取り付ける方法では、ブロックを現場に据え付けた後、目地材を取り付ける作業が煩雑となり、作業性に劣る問題がある。
【０００５】
そこで、本発明は、生態系に良好で、施工性に優れた積みブロックと積みブロック用吸出防止構造を提供することを目的とする。
【０００６】
【課題を解決するための手段】
請求項１の積みブロックは、法面に用いられる積みブロックにおいて、上下に重ね合せるコンクリート製ブロック単体を横方向に並設し、隣合う前記ブロック単体間に前後に連通する隙間を設けると共に、それらブロック単体を連結材により連結し、前記ブロック単体間の前記隙間には前記連結材が露出し、前記ブロック単体の左右の側面間は後方に向って幅狭になるように形成され、前記ブロック単体の上下には相互に重ね合わせ可能でほぼ水平な上，下重ね合わせ面が設けられているものである。
【０００７】
前記請求項１の構成によれば、複数のブロック単体が連結材により連結されているため、１つの積みブロックを据付ければ、ブロック単体を１度に複数安定して据付けることができ、各段に並んだ積みブロックにおいて、隣合うブロック単体間には、コンクリートのない隙間が形成されるため、生態系への適合性に優れた擁壁が得られる。そして、例えば、その隙間には植物が生育することができ、該隙間により擁壁に通気性及び透水性が得られる。
【０００８】
請求項２の積みブロックは、前記ブロック単体を１本の前記連結材により連結し、前記連結材に固定したアンカーを前記ブロック単体の左右方向中央に埋設したものである。
【０００９】
前記請求項２の構成によれば、１本の連結材とアンカーとを利用してコンクリート製ブロック単体を連結することにより、この連結を確実なものとして一体化することができる。
【００１０】
また、請求項３の積みブロックは、前記連結材の端部は、端部の前記ブロック単体の側面に突出しているものである。
【００１１】
前記請求項３の構成によれば、隣合う積みブロックの連結材同士を連結一体化する。
【００１２】
また、請求項４の積みブロックは、前記ブロック単体の左右側部にほぼ上下方向の溝を形成し、前記隙間に設ける吸出防止部材の両側に前記溝に挿入する挿入縁を形成したものである。
【００１３】
前記請求項４の構成によれば、現場において、溝間に吸出防止部材を挿入することにより、隙間に吸出防止部材を簡便に設けることができる。
【００１４】
請求項５の積みブロック用吸出防止構造は、上下に重ね合せるコンクリート製ブロック単体を横方向に並設し、隣合う前記ブロック単体間の隙間に吸出防止部材を設ける積みブロック用吸出防止構造において、前記ブロック単体の左右側部に形成されたほぼ上下方向の溝と、前記吸出防止部材の左右方向両側に設けられ前記溝にスライド挿入する挿入縁とを備えるものである。
【００１５】
前記請求項５の構成によれば、現場において、溝間に吸出防止部材を挿入することにより、隙間に吸出防止部材を簡便に設けることができ、隙間に設けた吸出防止部材により、ブロック後側からの胴込材の吸出しを防止することができる。
【００１６】
【発明の実施形態】
以下、本発明の実施例を添付図面を参照して説明すると、図１ないし図１２は本発明の第１実施例を示し、同図に示すように、積みブロック１は、複数のコンクリート製ブロック単体２を横方向に並設し、それら複数のブロック単体２を鉄筋などからなる１本の連結材３により連結したものである。前記連結材３としては、特にアルミナイズド鋼線や溶融亜鉛メッキ鉄筋などの耐蝕性のものを用いることが好ましい。前記ブロック単体２の基準前面４はほぼ方形をなし、該基準前面４の前面に擬石模様部５を形成し、この擬石模様部５は、自然石を模した形状であって、例えば天然玉石又は割石模様などである。また、ブロック単体２の上下には、相互に重ね合わせ可能な上，下重ね合せ面６，７が設けられ、上重ね合せ面６の左右方向略中央に突起８を設け、この突起８を挿入する横方向の係合溝９を前記下重ね合せ面７の幅方向全長に形成している。また、ブロック単体２の左右の側面10，10間は後方に向って僅かに幅狭になるように形成され、さらに、左右の側面10，10間は上下方向の中央線10Ｓ，10Ｓから、上下に向ってそれぞれ僅かに幅狭になるように形成されている。また、ブロック単体２の控部の左右の上角部に凹部11，11を形成し、さらに、後下中央に凹部12を形成している。また、前記連結材３は前記基準前面４の後に沿って配置され、各ブロック単体２の左右方向中央において、前記連結材３にはこれより大きなアンカー13が設けられている。前記側面10の前側には、上下方向の溝14が形成されている。そして、隣合うブロック単体２，２の間には隙間15が設けられている。尚、前記積みブロック１は複数段に積み重ねられるが、１段目の積みブロック１のブロック単体２において、下重ね合せ面７は後述する基礎に合せて斜めに形成される。
【００１７】
吸出防止部材16は、図４に示すように、網体17の両側に前記溝14にスライド挿入する挿入縁18，18を設けてなり、その網体17はプラスチック網やステンレス網などの耐蝕性を有するものが用いられ、この例では、その網体17を板片19，19により前後から挟着してなる。そして、前記網体17は複数の線材部17Ａを格子状にして通水孔17Ｂを複数有するものである。このように網体17を用いることにより、多少の変形は可能となる。
【００１８】
次に、前記積みブロック１を用いた擁壁の施工方法につき図７ないし図１２に基いて説明すると、図７のブロック据付工程に示すように、擁壁を構築すべき法面21には、フィルターとしての吸出し防止材22を設け、この吸出し防止材22としては、ヤシがらマット，サンドマットあるいはフェルトなどを用いることができる。擁壁の下部にはコンクリート製の基礎23を設け、この基礎23の上面には、法面21側に向いた斜めの傾斜受面24を形成する。この傾斜受面24に１段目用の前記積みブロック１を重ね合せ、この際、施工用吊り金具25を用いて据付けを行なう。この吊り金具25は、積みブロック１の上面及び後面に沿う本体26を備え、この本体26の下部側に前記凹部12に係入する後支持部27を設け、前記本体26の前側に前側支持部28を垂設し、この前側支持部28の下端側には前記連結材３に係合するフックなどの吊下げ支持部28Ａが設けられている。そして、吊り金具25により傾斜受面24に据付け、ブロック単体１の後面と法面21との間にサポート29を設けて支持する。このようにサポート29により支持して１段目の据付けが終了した後、図８の裏込め材充填工程に示すように、ブロック単体２と法面21との間に裏込め材30を充填し、この裏込め材30の充填により積みブロック１が安定したら、サポート29を取外す。尚、この例では、裏込め材30に良質土30Ａと砕石30Ｂを用いている。一方、図９のブロックの連結工程に示すように、基礎23の受面24上に、積みブロック１，１…を隙間15Ｍを置いて並べ、この隙間15Ｍの寸法は、前記隙間15とほぼ等しいかやや広い。そして、連結材３の端部３Ｔは端部のブロック単体２の側面10に突出しており、隣合う積みブロック１，１の端部３Ｔ，３Ｔ同士を直接、あるいは図５に示したように添え筋31により溶接し、これにより隣合う積みブロック１の連結材３，３同士を連結一体化する。また、図１０の吸出防止部材の取付工程に示すように、ブロック単体２，２の隙間15には、吸出防止部材16をセットし、この場合、隣合う溝14，14に両側の挿入縁18，18を合わせ、上側からスライド挿入することにより、隙間15に吸出防止部材16をセットする。尚、隙間15Ｍにおいては、前記ブロックの連結工程の後に隙間15Ｍに吸出防止部材16をスライド挿入する。前記吸出防止部材16の取付工程が終わった後、図１１の胴込材の充填工程として、吸出防止部材16より後方の隙間15，15Ｍ及び凹部11に胴込材32を充填する。尚、この胴込材32には法面21の成形時に発生した現場残土などを用いることができる。そして、２段目の積みブロック１は、１段目の積みブロック１の上に重ねて据付けられ、該２段目の積みブロック１も１段目の積みブロック１と同様な工程により施工され、上下のブロック単体２，２の突起８と係合溝９が係合すると共に、水平な上重ね合せ面６の上に、２段目のブロック単体２の下重ね合せ面７が重ね合されるため、２段目以上においては、サポート29を用いる必要はない。このようにして、下段の積みブロック１，１…上に上段の積みブロック１，１…を重ね合せて擁壁を構築する。また、図５に示したように、上，下段の積みブロック１，１においては、その隙間15を交互に配置し、すなわち、下段の隙間15を中心にして、上段のブロック単体２を積み重ねる。尚、図５においては、説明のために吸出防止部材16を図示省略している。
【００１９】
また、図５中、１段目及び３段目右側，２段目及び４段目左側には調整用ブロック単体２Ｔが配置されており、この調整用ブロック単体２Ｔはブロック単体２の略１．５倍の左右幅を有するものあり、擁壁の左右端部に用いられる。尚、図５と後述する図１３及び図１５においては、説明のため、隣合う積みブロック１を交互に断面にして図示している。そして、図５においては、１段目及び３段目は、左側から、４個のブロック単体２，２，２，２からなる積みブロック１が２つ並んで図示され、右側にはブロック単体２と調整用ブロック単体２Ｔからなる積みブロック１を配置し、２段目及び４段目は、逆に右側から、４個のブロック単体２，２，２，２からなる積みブロック１が２つ並んで図示され、左側にはブロック単体２と調整用ブロック単体２Ｔからなる積みブロック１を配置している。
【００２０】
このように本実施例では、請求項１に対応して、法面に用いられる積みブロックにおいて、上下に重ね合せるコンクリート製ブロック単体２を横方向に並設し、隣合うブロック単体２，２間に前後に連通する隙間15を設けると共に、それらブロック単体２，２を連結材３により連結し、ブロック単体２，２間の隙間15には連結材３が露出し、ブロック単体２の左右の側面10，10間は後方に向って幅狭になるように形成され、ブロック単体２の上下には相互に重ね合わせ可能でほぼ水平な上，下重ね合わせ面６，７が設けられているものであるから、複数のブロック単体２が連結材３により連結されているため、１つの積みブロック１を据付ければ、ブロック単体２を１度に複数安定して据付けることができ、各段に並んだ積みブロック１において、隣合うブロック単体２，２間には、コンクリートのない隙間15が形成されるため、生態系への適合性に優れた擁壁が得られる。そして、例えば、隙間15に植物が生育することができ、該隙間15により擁壁に通気性及び透水性が得られる。また、水中部では、その隙間15が魚巣となる。また、ブロック単体２，２の隙間15には連結材３が露出しているから、この連結材３に吊り金具25を係止して、現場での吊り上げ作業を簡便に行なうことができる。
【００２１】
また、このように本実施例では、請求項２に対応して、ブロック単体２，２を１本の連結材３により連結し、この連結材３に固定したアンカー13をブロック単体２の左右方向中央に埋設したから、１本の連結材３とアンカー13とを利用してコンクリート製ブロック単体２を連結することにより、この連結を確実なものとしながら、積みブロック１を容易に製造することができる。
【００２２】
また、このように本実施例では、請求項３に対応して、連結材３の端部３Ｔは、端部のブロック単体２の側面10に突出しているから、隣合う積みブロック１，１の連結材３，３同士を連結一体化することができる。
【００２３】
また、このように本実施例では、請求項４に対応して、ブロック単体２の左右側部にほぼ上下方向の溝14，14を形成し、隙間15に設ける吸出防止部材16の両側に溝14，14に挿入する挿入縁18，18を形成したから、現場において、溝14，14間に吸出防止部材16を挿入することにより、隙間15に吸出防止部材16を簡便に設けることができる。
【００２４】
このように本実施例では、請求項５に対応して、上下に重ね合せるコンクリート製ブロック単体２を横方向に並設し、隣合うブロック単体２，２間の隙間15に吸出防止部材16を設ける積みブロック用吸出防止構造において、ブロック単体２の左右側部に形成されたほぼ上下方向の溝14と、吸出防止部材16の左右方向両側に設けられ溝14，14にスライド挿入する挿入縁18とを備えるから、現場において、溝14，14間に吸出防止部材16を挿入することにより、隙間15に吸出防止部材16を簡便に設けることができ、隙間15に設けた吸出防止部材16により、ブロック後側からの胴込材32の吸出しを防止することができる。
【００２５】
そして、本発明の積みブロック１では、隣合うブロック単体２，２の隙間15，15Ｍが深目地となり、生態系に適したものとなり、そこに昆虫などが生息できる。また、隙間15，15Ｍにより、湧き水の多い場所にも施工可能で、積みブロック１により構築した擁壁は透水性を有するものとなる。さらに、その隙間15，15Ｍには土が堆積し易く、隙間15，15Ｍに植物が生息し易くなる。また、ブロック単体２の前面に擬石模様部５を設けることにより、自然景観に適合した擁壁が得られる。さらに、ブロック単体２は上，下重ね合せ面６，７はほぼ水平であって、積みブロック１は自立式となるから、施工性に優れたものとなり、胴込材32は法面21の成形時に発生した現場残土などを用いることができるから、コスト面から経済的である。また、下重ね合せ面７の幅方向全長に形成した係合溝９と、この係合溝９に挿入する突起８とにより、上下段の積みブロック１，１の左右方向に位置調整が可能である。
【００２６】
図１３及び図１４は本発明の第２実施例を示し、上記第１実施例と同一部分に同一符号を付し、その詳細な説明を省略して詳述すると、同図は道路などの曲線施工の例であって、擁壁が内側に凹んだ内カーブの状態を示し、隙間15における連結材３を僅かに屈曲し、また、隙間15Ｍにおける連結箇所においても添え筋31箇所で僅かに屈曲させることにより、内カーブに対応することができる。尚、図１３においては、説明のために吸出防止部材16を図示省略しており、また、図１４は、擁壁の１段目と３段目の平面図である。また、ブロック１において、下側の係合溝９はブロック１の左右幅方向全長に形成され、突起８は中央に部分的に形成され、係合溝９と突起８とにはクリアランスがあるから、上下の積みブロック１、１を積み重ねることができる。そして、このような内カーブで斜めの擁壁では、上段に行くに従って左右間隔が徐々に広くなるが、図１３に示すように、上段に行くに従って、隙間15Ｍを広く取ることにより、そのような内カーブで斜めの擁壁に対応可能となる。
【００２７】
図１５及び図１６は本発明の第３実施例を示し、上記第１実施例と同一部分に同一符号を付し、その詳細な説明を省略して詳述すると、同図は道路などの曲線施工の例であって、擁壁が外側に凸となった外カーブの状態を示し、隙間15における連結材３を僅かに屈曲し、また、隙間15Ｍにおける連結箇所においても僅かに屈曲させることにより、外カーブにも対応することができる。尚、図１５においては、説明のために吸出防止部材16を図示省略しており、また、図１６は、擁壁の１段目と３段目の平面図である。また、第２及び３実施例において、側面図は図６と同様に表れる。そして、このような外カーブで斜めの擁壁では、上段に行くに従って左右間隔が徐々に狭くなるが、図１５に示すように、上段側に比べて下段側の隙間15Ｍを広く取ることにより、そのような外カーブで斜めの擁壁に対応可能となる。
【００２８】
尚、本発明は上記実施例に限定されるものではなく、本発明の要旨の範囲内において種々の変形実施が可能である。例えば、積みブロックにおけるブロック単体の形状や数は、上記実施例に限らず、適宜選定可能である。また、ブロック単体に必ずしも擬石模様部を設ける必要はない。また、実施例では、胴込部及び裏込め部に砕石などを充填する空ら積みによる施工を示したが、本発明の積みブロックは、土圧が大きくなった場合、胴込部と裏込め部にコンクリートを充填する練り積みを用いることにより、土圧に対応することができる。また、実施例では、積みブロックの連結材同士を溶接により連結した例を示したが、溶接に限らず、連結金具や締め具などにより連結するようにしてもよい。さらに、吸出防止部材は、複数の通水孔を有するものであれば、網体に限らず、例えば薄板に孔を穿設したものでもよい。
【００２９】
【発明の効果】
請求項１の積みブロックは、法面に用いられる積みブロックにおいて、上下に重ね合せるコンクリート製ブロック単体を横方向に並設し、隣合う前記ブロック単体間に前後に連通する隙間を設けると共に、それらブロック単体を連結材により連結し、前記ブロック単体間の前記隙間には前記連結材が露出し、前記ブロック単体の左右の側面間は後方に向って幅狭になるように形成され、前記ブロック単体の上下には相互に重ね合わせ可能でほぼ水平な上，下重ね合わせ面が設けられているものであり、生態系に良好で、施工性に優れた積みブロックを提供することができる。
【００３０】
請求項２の積みブロックは、前記ブロック単体を１本の前記連結材により連結し、この連結材に固定したアンカーを前記ブロック単体の左右方向中央に埋設したものであり、生態系に良好で、施工性に優れた積みブロックを提供することができる。
【００３１】
また、請求項３の積みブロックは、前記連結材の端部は、端部の前記ブロック単体の側面に突出しているものであり、生態系に良好で、施工性に優れた積みブロックを提供することができる。
【００３２】
また、請求項４の積みブロックは、前記ブロック単体の左右側部にほぼ上下方向の溝を形成し、前記隙間に設ける吸出防止部材の両側に前記溝に挿入する挿入縁を形成したものであり、生態系に良好で、施工性に優れた積みブロックを提供することができる。
【００３３】
請求項５の積みブロック用吸出防止構造は、上下に重ね合せるコンクリート製ブロック単体を横方向に並設し、隣合う前記ブロック単体間の隙間に吸出防止部材を設ける積みブロック用吸出防止構造において、前記ブロック単体の左右側部に形成されたほぼ上下方向の溝と、前記吸出防止部材の左右方向両側に設けられ前記溝にスライド挿入する挿入縁とを備えるものであり、生態系に良好で、施工性に優れた積みブロック用吸出防止構造を提供することができる。
【図面の簡単な説明】
【図１】本発明の第１実施例を示す積みブロックの正面図である。
【図２】本発明の第１実施例を示す積みブロックの平面図である。
【図３】本発明の第１実施例を示すブロック単体の側面図である。
【図４】本発明の第１実施例を示す吸出防止部材の斜視図である。
【図５】本発明の第１実施例を示す擁壁の一部を断面にした正面図であり、連結材の連結箇所を拡大表示している。
【図６】本発明の第１実施例を示す擁壁の側面図である。
【図７】本発明の第１実施例を示すブロック据付工程の側面図である。
【図８】本発明の第１実施例を示す裏込め材充填工程の断面図である。
【図９】本発明の第１実施例を示すブロックの連結工程の正面図であり、連結材の連結箇所を拡大表示している。
【図１０】本発明の第１実施例の吸出防止部材の取付工程を示し、図１０（Ａ）は正面図、図１０（Ｂ）は断面図である。
【図１１】本発明の第１実施例を示す胴込材の充填工程の断面図である。
【図１２】本発明の第１実施例を示す２段目の積みブロックを重ねる状態を説明する断面図である。
【図１３】本発明の第２実施例を示す擁壁の一部を断面にした正面図であり、連結材の連結箇所を拡大表示している。
【図１４】本発明の第２実施例を示す平面図である。
【図１５】本発明の第３実施例を示す擁壁の一部を断面にした正面図であり、連結材の連結箇所を拡大表示している。
【図１６】本発明の第３実施例を示す平面図である。
【符号の説明】
１  積みブロック
２  ブロック単体
３  連結材
３Ｔ  端部
６  上重ね合わせ面
７  下重ね合わせ面
10  側面
13  アンカー
14  溝
15  隙間
16  吸出防止部材
18  挿入縁
【図１】
0003603300.tif 000002
【図２】
0003603300.tif 000003
【図３】
0003603300.tif 000004
【図４】
0003603300.tif 000005
【図５】
0003603300.tif 000006
【図６】
0003603300.tif 000007
【図７】
0003603300.tif 000008
【図８】
0003603300.tif 000009
【図９】
0003603300.tif 000010
【図１０】
0003603300.tif 000011
【図１１】
0003603300.tif 000012
【図１２】
0003603300.tif 000013
【図１３】
0003603300.tif 000014
【図１４】
0003603300.tif 000015
【図１５】
0003603300.tif 000016
【図１６】
0003603300.tif 000017